(57)【特許請求の範囲】
【請求項１】
装置本体上面に開口する開口部を開閉する原稿読取装置と、該原稿読取装置に開閉可能に支持された原稿押さえと、を備えた画像形成装置において、
前記原稿読取装置の前記装置本体に対する開閉をロックする第１のロック機構、及び前記原稿押さえの前記原稿読取装置に対する開閉をロックする第２のロック機構それぞれを前記原稿読取装置の筐体内に配置し、
前記原稿読取装置を前記装置本体に対して閉じた状態で前記原稿押さえを前記原稿読取装置に対して開くと、前記第１のロック機構による前記原稿読取装置の開閉ロックが維持され、前記原稿押さえを前記原稿読取装置に対して閉じた状態で前記原稿読取装置を前記装置本体に対して開くと、前記第２のロック機構による前記原稿押さえの開閉ロックが維持されるよう構成され、
前記第１のロック機構は、
前記筐体に回転可能に支持され、回動により前記装置本体側の係合部に選択的に係合するフックを有するレバー軸と、
前記筐体に回転可能に支持され、前記筐体の側面に配置された操作レバーと、
前記筐体に移動可能に支持され、前記原稿押さえの開閉動作に連動して移動するリンクロッドと、を備え、
前記操作レバーは、
前記レバー軸と一体に回動可能なように前記レバー軸の軸方向の一端に嵌合する嵌合部と、
前記リンクロッドの移動に応じて前記リンクロッドの移動方向の一端と係合して前記操作レバーの回動を禁止する係合部と、を有し、
前記原稿押さえが閉じられた状態では前記操作レバーの回動操作を許容して前記第１のロック機構による前記原稿読取装置の開閉ロックを解除可能とし、前記原稿押さえが開かれると前記操作レバーの回動操作を禁止して前記第１のロック機構による前記原稿読取装置の開閉ロックを維持するよう構成したことを特徴とする画像形成装置。
【請求項２】
前記操作レバーは、該操作レバーの回転軸の軸方向に隔てられた一対の端面を有し、前記一対の端面それぞれから突出する軸を有し、一方の前記端面に前記嵌合部が形成され、他方の前記端面に前記係合部が形成されており、
前記操作レバーは、前記筐体の前記側面に形成された凹部に、前記軸を中心にして揺動可能に支持されていることを特徴とする請求項１に記載の画像形成装置。
【請求項３】
前記第２のロック機構は、前記原稿押さえ側に設けられた原稿押さえロック部材と、前記原稿読取装置側に回動可能に設けられて前記原稿押さえロック部材に係脱されるフックとを備え、前記原稿読取装置の開閉動作に連動して前記フックを回動させてこれを前記原稿押さえロック部材に係脱させることによって、前記原稿読取装置が閉じられた状態では前記原稿押さえの開閉を許容し、前記原稿読取装置が開かれると前記原稿押さえの開閉をロックするよう構成したことを特徴とする請求項１又は２記載の画像形成装置。
【請求項４】
前記リンクロッドの前記一端側とは反対側の他端にカムが形成されており、前記原稿押さえが前記原稿読取装置に対して閉じられた状態で、前記原稿押さえロック部材は前記カムに係合し、前記リンクロッドの前記一端は前記操作レバーの前記係合部に係合することを特徴とする請求項３記載の画像形成装置。
【請求項５】
前記フックを前記原稿押さえロック部材に係合する方向に付勢する付勢手段を金属スプリングで構成し、該金属スプリングによって２つ以上の板金部材のアース取りを行うようにしたことを特徴とする請求項３記載の画像形成装置。
【請求項６】
前記装置本体の上面に形成された開口部を開閉する上カバーを設け、該上カバーが前記原稿読取装置の開閉動作に連動して開閉するよう構成したことを特徴とする請求項１〜５の何れかに記載の画像形成装置。
【発明の詳細な説明】
【技術分野】
【０００１】
本発明は、装置本体上面に開口する開口部を開閉する原稿読取装置と、該原稿読取装置に開閉可能に支持された原稿押さえを備えた画像形成装置に関するものである。
【背景技術】
【０００２】
例えば、電子写真方式によって用紙に画像を形成する複写機やプリンタ或いは複合機（ＭＦＰ）等の画像形成装置には、図１７に示すように、不図示のドラムユニットやトナーカートリッジ等の交換のための開口部１０２ａを装置本体１０２の上面に形成し、この開口部１０２ａを原稿読取装置１０３によって開閉する構成を採用したものがある。
【０００３】
ところで、原稿読取装置１０３には、原稿を上方から押圧してこれを読取面に固定するための原稿押さえ１０４が開閉可能に支持されて設けられている。このため、ドラムユニットやトナーカートリッジ等の交換の際に図示のように原稿押さえ１０４を開いたまま原稿読取装置１０３を開くと、原稿押さえ１０４が装置本体１０２から大きく出っ張り、画像形成装置１０１全体の重心が移動するために該画像形成装置１０１の設置状態が不安定になってしまう。特に、原稿押さえ１０４に自動原稿搬送装置（ＡＤＦ）が付設されている場合には、原稿押さえ１０４全体の重量が大きくなるために画像形成装置１０１の設置状態が更に不安定になる。
【０００４】
上記問題を解決するため、特許文献１には、装置本体の上面を覆う開閉可能な上カバー部材と、該上カバー部材の上方にこれとの間に空間を設けて配置された原稿読取装置を備え、原稿読取装置のプラテンカバーと上カバー部材が共に同一方向に開放される画像形成装置において、プラテンカバーが開放されると上カバー部材の開放を阻止するロック機構を設ける構成が提案されている。
【０００５】
又、特許文献２には、装置本体に対して開閉可能な原稿読取部と、該原稿読取部の開閉方向と同じ方向に開閉可能な原稿押圧部を備えた画像形成装置において、原稿読取部の開き動作に連動して原稿押圧部を閉じ方向に移動させる移動機構を設ける構成が提案されている。
【先行技術文献】
【特許文献】
【０００６】
【特許文献１】特開２００９−０８６６２８号公報
【特許文献２】特開２００８−２０９６２６号公報
【発明の概要】
【発明が解決しようとする課題】
【０００７】
しかしながら、特許文献１において提案された構成では、ロック機構が全て装置外部に配置されているため、装置の全高が高くなり、低背設計及び省スペースに関して不利を免れないという問題がある。
【０００８】
又、特許文献２において提案された構成では、複雑な移動機構を要するために部品点数が多くなって構造が複雑化するという問題がある。
【０００９】
本発明は上記問題に鑑みてなされたもので、その目的とする処は、簡単な構成で設置状態の安定化を図ることができるとともに、低背設計及び省スペース化を実現することができる画像形成装置を提供することにある。
【課題を解決するための手段】
【００１０】
上記目的を達成するため、請求項１記載の発明は、装置本体上面に開口する開口部を開閉する原稿読取装置と、該原稿読取装置に開閉可能に支持された原稿押さえと、を備えた画像形成装置において、前記原稿読取装置の前記装置本体に対する開閉をロックする第１のロック機構、及び前記原稿押さえの前記原稿読取装置に対する開閉をロックする第２のロック機構それぞれを前記原稿読取装置の筐体内に配置し、前記原稿読取装置を前記装置本体に対して閉じた状態で前記原稿押さえを前記原稿読取装置に対して開くと、前記第１のロック機構による前記原稿読取装置の開閉ロックが維持され、前記原稿押さえを前記原稿読取装置に対して閉じた状態で前記原稿読取装置を前記装置本体に対して開くと、前記第２のロック機構による前記原稿押さえの開閉ロックが維持されるよう構成され、前記第１のロック機構は、前記筐体に回転可能に支持され、回動により前記装置本体側の係合部に選択的に係合するフックを有するレバー軸と、前記筐体に回転可能に支持され、前記筐体の側面に配置された操作レバーと、前記筐体に移動可能に支持され、前記原稿押さえの開閉動作に連動して移動するリンクロッドと、を備え、前記操作レバーは、前記レバー軸と一体に回動可能なように前記レバー軸の軸方向の一端に嵌合する嵌合部と、前記リンクロッドの移動に応じて前記リンクロッドの移動方向の一端と係合して前記操作レバーの回動を禁止する係合部と、を有し、前記原稿押さえが閉じられた状態では前記操作レバーの回動操作を許容して前記第１のロック機構による前記原稿読取装置の開閉ロックを解除可能とし、前記原稿押さえが開かれると前記操作レバーの回動操作を禁止して前記第１のロック機構による前記原稿読取装置の開閉ロックを維持するよう構成したことを特徴とする。
【００１１】
請求項２記載の発明は、請求項１記載の発明において、前記操作レバーは、該操作レバーの回転軸の軸方向に隔てられた一対の端面を有し、前記一対の端面それぞれから突出する軸を有し、一方の前記端面に前記嵌合部が形成され、他方の前記端面に前記係合部が形成されており、前記操作レバーは、前記筐体の前記側面に形成された凹部に、前記軸を中心にして揺動可能に支持されていることを特徴とする。
【００１２】
請求項３記載の発明は、請求項１又は２記載の発明において、前記第２のロック機構は、前記原稿押さえ側に設けられた原稿押さえロック部材と、前記原稿読取装置側に回動可能に設けられて前記原稿押さえロック部材に係脱されるフックとを備え、前記原稿読取装置の開閉動作に連動して前記フックを回動させてこれを前記原稿押さえロック部材に係脱させることによって、前記原稿読取装置が閉じられた状態では前記原稿押さえの開閉を許容し、前記原稿読取装置が開かれると前記原稿押さえの開閉をロックするよう構成したことを特徴とする。
【００１３】
請求項４記載の発明は、請求項３記載の発明において、前記リンクロッドの前記一端側とは反対側の他端にカムが形成されており、前記原稿押さえが前記原稿読取装置に対して閉じられた状態で、前記原稿押さえロック部材は前記カムに係合し、前記リンクロッドの前記一端は前記操作レバーの前記係合部に係合することを特徴とする。
【００１４】
請求項５記載の発明は、請求項３記載の発明において、前記フックを前記原稿押さえロック部材に係合する方向に付勢する付勢手段を金属スプリングで構成し、該金属スプリングによって２つ以上の板金部材のアース取りを行うようにしたことを特徴とする。
【００１５】
請求項６記載の発明は、請求項１〜５の何れかに記載の発明において、前記装置本体の上面に形成された開口部を開閉する上カバーを設け、該上カバーが前記原稿読取装置の開閉動作に連動して開閉するよう構成したことを特徴とする。
【発明の効果】
【００１６】
本発明によれば、原稿読取装置の装置本体に対する開閉をロックする第１のロック機構と、原稿押さえの原稿読取装置に対する開閉をロックする第２のロック機構を原稿読取装置の筐体内に配置したため、原稿読取装置の高さを低く抑えて画像形成装置の全高も低く抑えることができ、構造を単純化して低背設計と省スペース化が可能となるとともに、第１及び第２のロック機構の可動部等に作業者が触れることがなく、これらを覆うカバーも不要となって部品点数が削減される。
【００１７】
又、ドラムユニットやトナーカートリッジの交換等のメンテナンスに際して第１のロック機構による原稿読取装置の開閉ロックを解除して該原稿読取装置を開けると、第２のロック機構によって原稿押えの開閉をロックするようにすれば、原稿読取装置と原稿押さえが一体として開かれるため、原稿押さえが装置本体から大きく出っ張ることがなく、画像形成装置の重心の移動が小さく抑えられて該画像形成装置の設置状態の安定化が図られる。
【図面の簡単な説明】
【００１８】
【図１】本発明に係る画像形成装置の斜視図である。
【図２】本発明に係る画像形成装置の原稿読取装置を開いた状態を示す斜視図である。
【図３】原稿読取装置の斜視図である。
【図４】原稿読取装置の内部構造を示す斜視図である。
【図５】図４のＡ部拡大詳細図である。
【図６】金属スプシングの斜視図である。
【図７】第１及び第２のロック機構を構成するレバー軸とリンクロッドの斜視図である。
【図８】第１のロック機構のレバー軸の斜視図である。
【図９】第１のロック機構のリンクロッドの斜視図である。
【図１０】（ａ），（ｂ）は第１のロック機構の操作レバーの斜視図である。
【図１１】第１のロック機構における操作レバーへのレバー軸とリンクロッドの連結構造を示す図である。
【図１２】（ａ），（ｂ）は第１のロック機構におけるフックの装置本体側の係合段部への係脱と操作レバーのリンクロッドによる回動ロック／アンロックを説明する図である。
【図１３】第１のロック機構におけるリンクロッドと原稿押さえロック部材との係合状態を示す図である。
【図１４】第２のロック機構の斜視図である。
【図１５】（ａ），（ｂ）は第２のロック機構におけるフックの原稿押さえロック部材との係脱（ロック／アンロック）を説明する図である。
【図１６】（ａ）〜（ｃ）は画像形成装置における原稿読取装置及び原稿押さえの開閉状態を示す図である。
【図１７】従来の画像形成装置における原稿読取装置と原稿押さえを開いた状態を示す側面図である。
【発明を実施するための形態】
【００１９】
以下に本発明の実施の形態を添付図面に基づいて説明する。
【００２０】
図１は本発明に係る画像形成装置の斜視図、図２は同画像形成装置の原稿読取装置を開いた状態を示す斜視図、図３は原稿読取装置の斜視図、図４は同原稿読取装置の内部構造を示す斜視図、図５は図４のＡ部拡大詳細図、図６は金属スプリングの斜視図、図７は第１及び第２のロック機構を構成するレバー軸とリンクロッドの斜視図、図８はレバー軸の斜視図、図９はリンクロッドの斜視図、図１０（ａ），（ｂ）は操作レバーの斜視図、図１１は操作レバーへのレバー軸とリンクロッドの連結構造を示す図、図１２（ａ），（ｂ）は第１のロック機構におけるフックの装置本体側の係合段部への係脱と操作レバーのリンクロッドによる回動ロック／アンロックを説明する図、図１３は第１のロック機構におけるリンクロッドと原稿押さえロック部材との係合状態を示す図、図１４は第２のロック機構の斜視図、図１５（ａ），（ｂ）は第２のロック機構におけるフックの原稿押さえロック部材との係脱（ロック／アンロック）を説明する図、図１６（ａ）〜（ｃ）は画像形成装置における原稿読取装置及び原稿押さえの開閉状態を示す図である。
【００２１】
図１及び図２に示す画像形成装置１は、複写機能とプリンタ機能及びファクシミリ機能を兼備した複合機（ＭＦＰ）であって、その装置本体２の上部には原稿を光学的に読み取るための原稿読取装置３が開閉可能に設けられており、この原稿読取装置３には原稿押さえ４が開閉可能に設けられている。ここで、図３に示すように、原稿読取装置３の矩形ボックス状の筐体５の上面には透明なプラテンガラス６が嵌め込まれており、筐体５の前部には操作部７が配置されている。前記原稿押さえ４は、原稿読取装置３のプラテンガラス６上に載置された原稿を押さえるものであって、これには複数枚の原稿をプラテンガラス６へと順次送り込むための自動原稿搬送装置（ＡＤＦ）８が付設されている。
【００２２】
又、装置本体２には、感光ドラム、帯電器、露光装置、現像装置、転写装置、定着装置等の各種プロセス機器の他、現像装置にトナーを補給するトナーカートリッジ等が内蔵されている。そして、装置本体２の前面には手差しトレイ９が開閉可能に設けられており、その下方の装置本体２の底部には給紙カセット１０が手前側に引き出し可能に設けられている。
【００２３】
ところで、本画像形成装置１においては、前記感光ドラムや帯電器はドラムユニットとして前記トナーカートリッジと同様に装置本体２に対して着脱可能に構成されており、装置本体２の上部には図２に示すようにドラムユニットやトナーカートリッジを出し入れするための開口部２ａが形成されており、原稿読取装置２が図１に示すように閉じているときには、開口部２ａは排紙トレイを兼ねる上カバー１１によって閉じられている。
【００２４】
前記原稿読取装置３は装置本体２の上部奥側を中心として回動して開閉され、前記原稿押さえ４は原稿読取装置３の上面奥側を中心として回動して開閉されるが、図２に示すように原稿読取装置３と原稿押さえ４が一体的に開かれると、この動作に連動して上カバー１１も回動して装置本体２の上面の開口部２ａを開くよう構成されている。尚、上カバー１１は、原稿読取装置３と原稿押さえ４を図１に示すように閉じると、この動作に連動して回動して装置本体２の開口部２ａを閉じるよう構成されている。
【００２５】
而して、本実施の形態に係る画像形成装置１には、原稿読取装置３の装置本体２に対する開閉をロックする第１のロック機構と、原稿押さえ４の原稿読取装置３に対する開閉をロックする第２のロック機構が設けられているが、これらの第１及び第２のロック機構は、図３及び図４に示す原稿読取装置３の筐体５内に組み込まれている。
【００２６】
ここで、先ず、第１のロック機構の構成について説明する。
【００２７】
第１のロック機構は、図７に示すように互いに直角を成すレバー軸１２とリンクロッド１３を備えており、レバー軸１２は原稿読取装置３の筐体５内の手前側内面に沿って配され、リンクロッド１３は筐体５内の右側内面に沿って配されている。そして、レバー軸１２の右端部には操作レバー１４が連結されており、同レバー軸１２の操作レバー１４の内側と左端部には軸直角方向に延びるフック１５がそれぞれ形成されている。又、図８に示すように、レバー軸１２の右端にはアーム１６が軸直角方向に形成されており、このアーム１６の端部にはピン１７がレバー軸１２と平行に突設されている。
【００２８】
他方、図９に示すように、前記リンクロッド１３の手前側の前端にはアーム１８が軸直角方向に形成されており、このアーム１８の下端部にはピン１９が左方に向かって直角に突設されている。リンクロッド１３の後端部には水平なカム部材２０が軸直角方向に一体に形成されている。そして、カム部材２０には縦リブ状のカム２１が一体に立設されており、このカム２１の先端には斜面状のカム面２１ａが形成されている。
【００２９】
ところで、図１０に示すように、前記操作レバー１４の上端部の左右には軸１４ａ，１４ｂが一体に形成されており、該操作レバー１４は、図１〜図４に示すように、画像読取装置３の前面右端部の操作部７の横に形成された凹部に配置され、その上端部の左右に形成された前記軸１４ａ，１４ｂによって筐体５に揺動可能に支持されており、その回動中心は図９に示すようにレバー軸１２の軸中心に一致している。
【００３０】
又、図１０（ａ）に示すように、操作レバー１４の左端面には円筒状のボス１４Ａ（嵌合部）が一体に形成されており、図１１に示すように、このボス１４Ａにはレバー軸１２の右端のアーム１６に突設されたピン１７が嵌合されている。従って、操作レバー１４を軸１４ａ，１４ｂを中心として回動操作すると、そのボス１４Ａに嵌合するピン１７を備えるアーム１６が回動するため、レバー軸１２及びこれに形成された左右一対のフック１５が一体に回動し、図１２に示すようにフック１５が装置本体２に形成された段凹状の係合部２ｂに係脱して画像読取装置３の開閉がロック／アンロックされる。
【００３１】
更に、図１０（ｂ）及び図１２に示すように、操作レバー１４の右端面には後方（図１２の右方）に向かって開口するコの字状の係合凹部１４Ｂが形成されており、この係合凹部１４Ｂ（係合部）にリンクロッド１３の前端のアーム１８に突設された前記ピン１９が図１１及び図１２に示すように係脱することによって操作レバー１４の回動操作がロック／アンロックされる。尚、後述するが、操作レバー１４の係合凹部１４Ｂへのピン１９の係脱は、原稿押さえ４の開閉動作に連動するリンクロッド１３の前後方向の軸移動によってなされる。
【００３２】
次に、原稿押さえ４の原稿読取装置３に対する開閉をロックする第２のロック機構の構成について説明する。
【００３３】
原稿読取装置３の筐体５内の後部側には、図７に示すようにリンクロッド１３に沿うロック部材２２が軸２３を中心として回動可能に配置されており、このロック部材２２の後端にはフック２４が垂直に立設されている。又、ロック部材２２の前端には左方に向かって直角に延びる押圧アーム２５が設けられており、この押圧アーム２５には装置本体２の上面右側に垂直に突設された突起２ｃ（図２及び図１５（ａ）参照）が選択的に当接する。
【００３４】
又、図４、図１３及び図１５に示すように、原稿押さえ４の右側部後端からは矩形プレート状の原稿押さえロック部材２６が垂直下方に向かって突設されており、この原稿押さえロック部材２６には矩形の係合孔２６ａが形成されるとともに、後端面の下部には斜めにカットされた係合面２６ｂが形成されている。
【００３５】
次に、原稿読取装置３と原稿押え４の開閉動作と第１及び第２のロック機構の作用との関係について説明する。
【００３６】
図１及び図１６（ａ）に示すように原稿読取装置３と原稿押さえ４が共に閉じていて画像形成動作が可能な状態では、原稿押さえ４に設けられた原稿押さえロック部材２６の係合面２６ｂが図１３に示すようにリンクロッド１３の後端に立設されたカム２１のカム面２１ａに係合してリンクロッド１３を後方にスライドさせている。
【００３７】
而して、原稿押さえロック部材２６が不図示のスプリングの付勢力に抗してリンクロッド１３を後方へスライドさせた状態では、該リンクロッド１３の前端のアーム１８に突設されたピン１９が図１２（ｂ）に示すように操作レバー１４の係合凹部１４Ｂから外れて両者の係合が解除されているため、操作レバー１４の回動ロックは解除状態にある。
【００３８】
ところで、操作レバー１４は、不図示のスプリングによって軸１４ａ，１４ｂを中心として図１２の反時計方向に付勢されており、これを操作しない状態では、レバー軸１２に設けられた左右一対のフック１５は図１２（ａ）に示すように（但し、図１２（ａ）は後述のように原稿押さえ４が開かれて操作レバー１４の回動がロックされている状態を示す）装置本体２の係合部２ｂに係合している。従って、この状態では、第１のロック機構によって原稿読取装置３の回動がロックされて該原稿読取装置３を開くことができない。
【００３９】
又、原稿読取装置３と原稿押さえ４が共に閉じていて画像形成動作が可能な状態では、図１５（ａ）に示すように装置本体２の上面に突設された突起２ｃが第２のロック機構を構成するロック部材２２の押圧アーム２５に当接してロック部材２２全体を軸２３を中心として図示矢印方向に回動させるため、該ロック部材２２のフック２４が原稿押さえロック部材２６の係合孔２６ａから外れて第２のロック機構による原稿押さえ４の回動ロックが解除されている。従って、画像形成に際してユーザーは、図１６（ｂ）に示すように原稿押さえ４を自由に開いて原稿を原稿読取装置３のプラテンガラス６（図３参照）上に載置することができる。尚、ロック部材２２は、金属スプリング（捩りコイルバネ）２７によって軸２３を中心として図１５の反時計方向（フック２４が原稿押さえロック部材２６の係合孔２６ａに係合する方向）に常時付勢されている。
【００４０】
ここで、金属製スプリング２７は、図５に示すように、画像読取装置３の板金部材３Ａの端部に垂直に立設された縦壁３ａのリブ状突起３ｂに巻装され、その一端２７ａは金属シャフト２８に係止され、他端２７ｂはロック部材２２のフック２４の近くに係止されている。従って、金属スプリング２７は、板金部材３Ａと金属シャフト２８に接触してこれらのアース取りを行っている。
【００４１】
而して、原稿読取装置３の回動がロックされている状態で上記のように原稿押さえ４を開くと、図１３に示す状態（原稿押さえロック部材２６がカム２１に当接してリンクロッド１３を後方へとスライドさせている状態）が解除されるため、リンクロッド１３は不図示のスプリングの付勢力によって前方へとスライドする。すると、該リンクロッド１３のアーム１８に突設されたピン１９が図１２（ａ）に示すように操作レバー１４の係合凹部１４Ｂに係合するため、操作レバー１４を回動操作することができず、画像読取装置３を開くことができない。このため、原稿押さえ４を開いている状態で操作レバー１４が操作されて原稿読取装置３が開くという不具合が発生することがない。
【００４２】
ところで、前述のように原稿読取装置３と原稿押さえ４が共に閉じていて画像形成装置１による画像形成動作が可能な状態では操作レバー１４の回動ロックは解除され、該操作レバー１４を自由に回動操作することができる。従って、例えばドラムユニットやトナーカートリッジ等の交換のためにユーザーが操作レバー１４を手前側に引いてこれを揺動させると、レバー軸１２も同方向に回動し、これに設けられた左右一対のフック１５が図１２（ｂ）に示すように同方向に回動して装置本体２の係合部２ｂとの係合が解除されるため、図２及び図１６（ｃ）に示すように原稿読取装置３と原稿押さえ４と共に開くことができる。このように原稿読取装置３と原稿押さえ４を開くと、その動作に連動して前述のように上カバー１１も回動して装置本体２の開口部２ａを図２に示すように開くため、ユーザーは、開放された開口部２ａを介してドラムユニットやトナーカートリッジを装置本体に対して出し入れしてこれらを新しいものと作業性良く容易に交換することができる。
【００４３】
そして、上述のように原稿読取装置３と原稿押さえ４と共に開くと、第２のロック機構を構成するロック部材２２の押圧アーム２５が装置本体２の上面に突設された突起２ｃから離脱するため、図１５（ｂ）に示すように、ロック部材２２は不図示のスプリングの付勢力によって軸２３を中心として図示矢印方向に回動し、これによってフック２４が原稿押さえロック部材２６の係合孔２６ａに係合する。このため、原稿押さえ４の原稿読取装置３に対する回動がロックされ、画像読取装置３を開いたときには原稿押さえ４を原稿読取装置３に対して開くことができず、図２及び図１６（ｃ）に示すように両者は装置本体２に対して常に一体として開閉される。
【００４４】
上述のように本発明に係る画像形成装置１においては、ドラムユニットやトナーカートリッジの交換等のメンテナンスに際して第１のロック機構による原稿読取装置３の開閉ロックを解除して該原稿読取装置３を開けると、第２のロック機構によって原稿押え４の開閉がロックされ、原稿読取装置３と原稿押さえ４が一体に開かれるため、図１６（ｃ）に示すように原稿押さえ４が装置本体２から大きく出っ張ることがなく、画像形成装置１の重心の移動が小さく抑えられて該画像形成装置１の設置状態の安定化が図られる。
【００４５】
又、本発明に係る画像形成装置においては、原稿読取装置３の装置本体２に対する開閉をロックする第１のロック機構と、原稿押さえ４の原稿読取装置３に対する開閉をロックする第２のロック機構を画像読取装置３の筐体５内に配置したため、原稿読取装置３の高さを低く抑えて画像形成装置１の全高も低く抑えることができ、構造を単純化して低背設計と省スペース化が可能となるとともに、第１及び第２のロック機構の可動部等に作業者が触れることがなく、これらを覆うカバーも不要となって部品点数が削減されるという効果も得られる。
【００４６】
尚、以上は本発明を複合機（ＭＦＰ）に対して適用した形態について説明したが、本発明は、単体としての複写機やプリンタ、ファクシミリ等の他の任意の画像形成装置に対しても同様に適用可能であることは勿論である。
【符号の説明】
【００４７】
１              画像形成装置
２              装置本体
２ａ            装置本体の開口部
２ｂ            装置本体の係合部
２ｃ            装置本体の突起
３              原稿読取装置
３Ａ            原稿読取装置の板金部材
３ａ            板金部材の縦壁
３ｂ            板金部材のリブ状突起
４              原稿押さえ
５              原稿読取装置の筐体
６              プラテンガラス
７              原稿読取装置の操作部
８              自動原稿搬送装置（ＡＤＦ）
９              手差しトレイ
１０            給紙カセット
１１            上カバー
１２            レバー軸
１３            リンクロッド
１４            操作レバー
１４Ａ          操作レバーのボス
１４Ｂ          操作レバーの係合凹部
１４ａ，１４ｂ  操作レバーの軸
１５            レバー軸のフック
１６            レバー軸のアーム
１７            レバー軸のピン
１８            リンクロッドのアーム
１９            リンクロッドのピン（係合部材）
２０            カム部材
２１            カム
２１ａ          カムのカム面
２２            ロック部材
２３            ロック部材の軸
２４            ロック部材のフック
２５            ロック部材の押圧アーム
２６            原稿押さえロック部材
２６ａ          原稿押さえロック部材の係合孔
２６ｂ          原稿押さえロック部材の係合面
２７            金属スプリング（付勢手段）
２７ａ          金属スプリングの端部
２８            金属シャフト
【図１】
0005551102.tif 000002
【図２】
0005551102.tif 000003
【図３】
0005551102.tif 000004
【図４】
0005551102.tif 000005
【図５】
0005551102.tif 000006
【図６】
0005551102.tif 000007
【図７】
0005551102.tif 000008
【図８】
0005551102.tif 000009
【図９】
0005551102.tif 000010
【図１０】
0005551102.tif 000011
【図１１】
0005551102.tif 000012
【図１２】
0005551102.tif 000013
【図１３】
0005551102.tif 000014
【図１４】
0005551102.tif 000015
【図１５】
0005551102.tif 000016
【図１６】
0005551102.tif 000017
【図１７】
0005551102.tif 000018